(57)【要約】【課題】複数の枠組棚を上下方向に積み上げて使用する際の安定性が向上した枠組棚を提供する。【解決手段】枠組棚１は、上部後梁部材３７に設けられ、複数の枠組棚１を上下方向に重ね合わせて使用する際に、上に位置する枠組棚１の下に位置する枠組棚１に対する後方への移動を規制するストッパプレート３８と、棚３５に取り付けられ、枠組棚１を地面に載置したときに棚３５と地面との間に隙間Ｓを形成する支持台１９，２１，２３，２５と、を有する。４本の支柱３，５，７，９のうち、前側２本の支柱３，５の互いに対向する内側面同士の間隔Ｗが、後側２本の支柱７，９の互いに対向する内側面と反対の外側面同士の間隔Ｗ１及び、棚３５の左右方向の幅Ｗ２より大きい。【選択図】図１
2019085246.tif 000002
【特許請求の範囲】
【請求項１】
四隅に設けられた４本の支柱と、
前記支柱の下部に設けられ、上面に荷物が載せられる棚と、
前記４本の支柱のうち、後側２本の支柱の上部同士を左右方向につなぐ上部後梁部材と、
前記４本の支柱のうち、左側２本の支柱の上部同士を前後方向につなぐ上部左梁部材と、
前記４本の支柱のうち、右側２本の支柱の上部同士を前後方向につなぐ上部右梁部材と、
前記上部後梁部材に設けられ、複数の枠組棚を上下方向に重ね合わせて使用する際に、上に位置する枠組棚の下に位置する枠組棚に対する後方への移動を規制する後方移動規制部と、
前記棚に取り付けられ、枠組棚を地面に載置したときに前記棚と地面との間に隙間を形成する支持部材と、を有し、
前記４本の支柱のうち、前側２本の支柱の互いに対向する内側面同士の間隔が、後側２本の支柱の互いに対向する内側面と反対の外側面同士の間隔及び、前記棚の左右方向の幅より大きい枠組棚。
【請求項２】
四隅に設けられた４本の支柱と、
前記支柱の上部に設けられ、上面に荷物が載せられる棚と、
前記４本の支柱のうち、後側２本の支柱の下部同士を左右方向につなぐ下部後梁部材と、
前記４本の支柱のうち、左側２本の支柱の下部同士を前後方向につなぐ下部左梁部材と、
前記４本の支柱のうち、右側２本の支柱の下部同士を前後方向につなぐ下部右梁部材と、
前記棚の後側に設けられ、複数の枠組棚を上下方向に重ね合わせて使用する際に、上に位置する枠組棚の下に位置する枠組棚に対する後方への移動を規制する後方移動規制部と、
前記下部左梁部材及び前記下部右梁部材に取り付けられ、枠組棚を地面に載置したときに前記下部左梁部材及び前記下部右梁部材と地面との間に隙間を形成する支持部材と、を有し、
前記４本の支柱のうち、前側２本の支柱の互いに対向する内側面同士の間隔及び、前記下部左梁部材と前記下部右梁部材との互いに対向する内側面同士の間隔が、後側２本の支柱の互いに対向する内側面と反対の外側面同士の間隔及び、前記棚の左右方向の幅より大きい枠組棚。
【請求項３】
前記支柱の上部と下部との間の、前記棚から上下方向に離間した位置において、前記支柱に対して着脱自在に取り付けられた中間棚が設けられている請求項１または２に記載の枠組棚。
【請求項４】
前記中間棚は、前記４本の支柱から、当該４本の支柱で囲まれた内側の空間に向けて突出する棒状部材である請求項３に記載の枠組棚。
【請求項５】
前記支柱は、中空材であって側面に係合孔が設けられ、
前記棒状部材は、前記支柱に取り付けるための取付部を備え、
前記取付部は、前記支柱の係合孔に対し、上方から下方に向けて入り込んで係合する係合爪が設けられている請求項４に記載の枠組棚。
【請求項６】
前記係合孔は前記支柱の上下方向に沿って複数設けられている請求項５に記載の枠組棚。
【請求項７】
前記係合孔に対し挿脱自在に挿入される支持体を備え、
前記係合爪が前記係合孔に係合した状態で、前記取付部の下端部が、前記係合爪が係合している係合孔より下部に位置する係合孔に挿入された状態の前記支持体に当接する請求項６に記載の枠組棚。
【請求項８】
前記支柱は角材であり、前記棒状部材の取付部は、前記角材の互いに隣接する二つの側面にそれぞれ当接する、互いに屈曲した二つの取付面を備えている請求項５ないし７のいずれか１項に記載の枠組棚。
【請求項９】
前記取付部の二つの取付面のうち一方に、前記係合爪が設けられ、他方に前記棒状部材の端部が接続されている請求項８に記載の枠組棚。
【請求項１０】
前記棚は、前記４本の支柱を矩形状に連結して形成される外枠部を備え、
前記外枠部の上の一部に板状部材が設けられている請求項１ないし９のいずれか１項に記載の枠組棚。
【請求項１１】
前記外枠部の前記板状部材が設けられる部分に、板厚分または板厚分より大きい深さの凹部が形成され、前記凹部に前記板状部材が嵌め合わせられることで、前記棚の上面と前記板状部材の上面とがほぼ同一面となる請求項１０に記載の枠組棚。
【発明の詳細な説明】
【技術分野】
【０００１】
本実施の形態は、荷物を収納するための枠組棚に関する。
【背景技術】
【０００２】
枠組棚は、４本の支柱の下部あるいは上部に、パレットを載せる棚が設けられ、パレット上に荷物を載せて収納することができる。棚は、左右方向に沿って延在する前梁部材及び後梁部材と、前後方向に沿って延在する左右両側梁部材とを有して平面視で矩形状であり、矩形状の内側に設けられた中央梁部材を備えている。これら各梁部材の上にパレットが載せられる。
【先行技術文献】
【特許文献】
【０００３】
【特許文献１】特開２００９−２６３０６０号公報
【発明の概要】
【発明が解決しようとする課題】
【０００４】
枠組棚は、上下方向に複数積み上げて使用する場合があり、積み上げたときの安定性が求められる。
【０００５】
本実施の形態は、複数の枠組棚を上下方向に積み上げて使用する際の安定性が向上した枠組棚を提供する。
【課題を解決するための手段】
【０００６】
本実施の形態の一態様によれば、四隅に設けられた４本の支柱と、前記支柱の下部に設けられ、上面に荷物が載せられる棚と、前記４本の支柱のうち、後側２本の支柱の上部同士を左右方向につなぐ上部後梁部材と、前記４本の支柱のうち、左側２本の支柱の上部同士を前後方向につなぐ上部左梁部材と、前記４本の支柱のうち、右側２本の支柱の上部同士を前後方向につなぐ上部右梁部材と、前記上部後梁部材に設けられ、複数の枠組棚を上下方向に重ね合わせて使用する際に、上に位置する枠組棚の下に位置する枠組棚に対する後方への移動を規制する後方移動規制部と、前記棚に取り付けられ、枠組棚を地面に載置したときに前記棚と地面との間に隙間を形成する支持部材と、を有し、前記４本の支柱のうち、前側２本の支柱の互いに対向する内側面同士の間隔が、後側２本の支柱の互いに対向する内側面と反対の外側面同士の間隔及び、前記棚の左右方向の幅より大きい枠組棚が提供される。
【０００７】
本実施の形態の他の態様によれば、四隅に設けられた４本の支柱と、前記支柱の上部に設けられ、上面に荷物が載せられる棚と、前記４本の支柱のうち、後側２本の支柱の下部同士を左右方向につなぐ下部後梁部材と、前記４本の支柱のうち、左側２本の支柱の下部同士を前後方向につなぐ下部左梁部材と、前記４本の支柱のうち、右側２本の支柱の下部同士を前後方向につなぐ下部右梁部材と、前記棚の後側に設けられ、複数の枠組棚を上下方向に重ね合わせて使用する際に、上に位置する枠組棚の下に位置する枠組棚に対する後方への移動を規制する後方移動規制部と、前記下部左梁部材及び前記下部右梁部材に取り付けられ、枠組棚を地面に載置したときに前記下部左梁部材及び前記下部右梁部材と地面との間に隙間を形成する支持部材と、を有し、前記４本の支柱のうち、前側２本の支柱の互いに対向する内側面同士の間隔及び、前記下部左梁部材と前記下部右梁部材との互いに対向する内側面同士の間隔が、後側２本の支柱の互いに対向する内側面と反対の外側面同士の間隔及び、前記棚の左右方向の幅より大きい枠組棚が提供される。
【発明の効果】
【０００８】
本実施の形態によれば、後方移動規制部を備えることで、複数の枠組棚を上下方向に積み上げて使用する際の安定性が向上した枠組棚を提供できる。
【図面の簡単な説明】
【０００９】
【図１】第１の実施形態に係る枠組棚の斜視図である。
【図２】図１の枠組棚を上下二段に重ねた状態を示す斜視図である。
【図３Ａ】図１の枠組棚に使用する支持アームの斜視図である。
【図３Ｂ】図３Ａに対して別の角度から見た支持アームの斜視図である。
【図４】図１の枠組棚の使用例を示す斜視図である。
【図５】図１の枠組棚の不使用時での二つの枠組棚の保管状態を示す斜視図である。
【図６Ａ】図３Ａの支持アームを支柱に取り付ける前の状態を示す斜視図である。
【図６Ｂ】図３Ａの支持アームを支柱に取り付けた状態を示す斜視図である。
【図７】第２の実施形態に係る枠組棚の斜視図である。
【図８】図７の枠組棚の不使用時での二つの枠組棚の保管状態を示す斜視図である。
【図９】第３の実施形態に係る枠組棚の斜視図である。
【図１０】図９の枠組棚を上下二段に重ねた状態を示す斜視図である。
【図１１】図９の枠組棚の不使用時での二つの枠組棚の保管状態を示す斜視図である。
【図１２】図１の枠組棚に底板を取り付けた例を示す斜視図である。
【図１３】図７の枠組棚に天板を取り付けた例を示す斜視図である。
【発明を実施するための形態】
【００１０】
以下、実施の形態を図面に基づき説明する。
【００１１】
［第１の実施形態］
図１は、第１の実施形態に係る枠組棚１を示す。なお、図１及び後述する各図において、矢印ＦＲが前方、ＲＲが後方、ＬＨが左方向、ＲＨが右方向、ＵＰが上方とする。枠組棚１は、四隅に設けられる全部で４本の支柱３，５，７，９を備える。支柱３，５，７，９は、中空の角材である。
【００１２】
前側２本の支柱３，５の下端は、左右方向に沿って延在する前梁部材１１の両端の上面に溶接接合する。後方２本の支柱７，９の下端は、左右方向に沿って延在する後梁部材１３の両端よりやや中央寄りの上面に溶接接合する。
【００１３】
後梁部材１３の左側端部には、前後方向に沿って延在する左梁部材１５の後端側面を溶接接合する。左梁部材１５の前端は前梁部材１１の後側の側面に溶接接合する。左梁部材１５の前梁部材１１に対する接合位置は、支柱３よりも支柱５側にややずれている。
【００１４】
後梁部材１３の右側端部には、前後方向に沿って延在する右梁部材１７の後端側面を溶接接合する。右梁部材１７の前端は前梁部材１１の後側の側面に溶接接合する。右梁部材１７の前梁部材１１に対する接合位置は、支柱５よりも支柱３側にややずれている。したがって、後梁部材１３は、左右方向の長さが、前梁部材１１よりも短い。
【００１５】
左梁部材１５は、支柱３側の下面及び支柱７側の下面に、支持部材としての支持台１９及び２１をそれぞれ取り付けている。右梁部材１７は、支柱５側の下面及び支柱９側の下面に、支持部材としての支持台２３及び２５をそれぞれ取り付けている。これら四つの支持台１９，２１，２３，２５によって、枠組棚１は地面に載置される。したがって、枠組棚１を地面に載置したときに、後述する棚３５と地面との間に隙間Ｓが形成される。
【００１６】
前梁部材１１、後梁部材１３、左梁部材１５及び右梁部材１７によって外枠部２７を構成する。外枠部２７の内側には、左梁部材１５と右梁部材１７とを接続する２本の横内側梁２９，３１を、左右方向に沿って設けている。２本の横内側梁２９，３１は、前梁部材１１と後梁部材１３との間隔を、ほぼ同一の三つの間隔に仕切る位置に設けてある。
【００１７】
外枠部２７の内側には、左梁部材１５と右梁部材１７との間の左右方向中央位置に、前後方向に沿って延在する縦内側梁３３を設けている。縦内側梁３３は、長手方向（前後方向）に沿って三分割されており、前梁部材１１と横内側梁２９とを接続する第１縦内側梁３３ａと、横内側梁２９，３１同士を接続する第２縦内側梁３３ｂと、横内側梁３１と後梁部材１３とを接続する第３縦内側梁３３ｃとで構成されている。前梁部材１１、後梁部材１３、左梁部材１５及び右梁部材１７によって構成される外枠部２７と、外枠部２７の内側に位置する横内側梁２９，３１及び縦内側梁３３とで、上面に荷物が載せられる棚３５を構成する。
【００１８】
後方２本の支柱７，９の上端には、左右方向に沿って延在する上部後梁部材３７の下面溶接接合している。支柱７，９の上部後梁部材３７に対する接合位置は、左右両端部よりもやや中央寄りである。上部後梁部材３７の左右方向両端付近の後面には、後方移動規制部としてのストッパプレート３８を取り付けてある。ストッパプレート３８は、上部後梁部材３７から上方に突出しており、枠組棚１を図２のように複数重ね合わせたときに、下側の枠組棚１に対し上側の枠組棚１の後方への移動を規制する。
【００１９】
上部後梁部材３７の左右両端の前方側には、前後方向に延在する上部左梁部材３９及び上部右梁部材４１をそれぞれ溶接接合している。上部左梁部材３９及び上部右梁部材４１は、前端面が、支柱３，５の前方側の面と同一位置となっており、支柱３，５に対して連結具４３，４５を介して連結している。
【００２０】
連結具４３，４５は、第１連結具４３ａ，４５ａと、第２連結具４３ｂ，４５ｂと、第３連結具４３ｃ，４５ｃとから構成されている。第１連結具４３ａ，４５ａは、上部左梁部材３９及び上部右梁部材４１のそれぞれの下部に溶接接合され、前端面が上部左梁部材３９及び上部右梁部材４１の前端面と同一面となっている。上部左梁部材３９及び上部右梁部材４１と、第１連結具４３ａ，４５ａとは、前後方向と直交する方向の断面形状が同一である。
【００２１】
第２連結具４３ｂ，４５ｂは、支柱３，５の上端から左右方向の互いに接近する方向に突出し、上部左梁部材３９及び上部右梁部材４１のそれぞれの側面のほぼ下半分と、第１連結具４３ａ，４５ａの側面のほぼ上半分とに、それぞれ当接して溶接接合している。第２連結具４３ｂ，４５ｂの左右方向と直交する方向の断面形状と、支柱３，５の上下方向と直交する方向の断面形状とは同一形状である。第２連結具４３ｂ，４５ｂの前側の面は、上部左梁部材３９及び上部右梁部材４１の前端面と、第１連結具４３ａ，４５ａの前端面とに対して、それぞれ同一面である。
【００２２】
第３連結具４３ｃ，４５ｃは、上部左梁部材３９及び上部右梁部材４１の前端面と、第１連結具４３ａ，４５ａの前端面と、第２連結具４３ｂ，４５ｂの前側の面とに対し、それぞれ覆うようにして溶接接合している。
【００２３】
第２連結具４３ｂ，４５ｂの支柱３，５に対応する位置の上面には、下方に凹む凹形状の受け部４９，５１を取り付けている。一方、前梁部材１１の支柱３，５に対応する位置の下面には、下方に向けて突出する突起５３，５４を取り付けている。枠組棚１を図２のように複数重ね合わせたときに、上側の枠組棚１の突起５３，５４が、下側の枠組棚１の受け部４９，５１に入り込む。このとき、上側の枠組棚１の後梁部材１３が、下側の枠組棚１の上部後梁部材３７の上に載置され、ストッパプレート３８によって後方への移動が規制される。
【００２４】
４本の支柱３，５，７，９には、中間棚５５としての棒状部材からなる支持アーム３０，５０，７０，９０をそれぞれ着脱自在に取り付けてある。このうち、棚３５の矩形の対角位置にある支柱３，９に取り付ける支持アーム３０，９０は、同一のものを使用し、棚３５の矩形の他の対角位置にある支柱５，７に取り付ける支持アーム５０，７０は、同一のものを使用する。
【００２５】
支柱３，５，７，９に取り付けられる支持アーム３０，５０，７０，９０は、前右／前左／後右／後左の４本それぞれの支柱３，５，７，９に対し区別して組み合わせ取り付けることができるように、支柱３，５，７，９及び支持アーム３０，５０，７０，９０において識別印を設けてもよい。支柱と支持アームとの組み合わせにおいては、前右／前左／後右／後左を独立して４本区別してもよいし、４本を２種類にして共通化して識別印を設けてもよい。このような識別印を設けることで、支持アームの設置あるいは支持アームの高さ変更の作業において、作業者が迷わずに作業することができるため、作業時間の短縮をすることができ作業性が向上する。
【００２６】
例えば、後述する図６Ａに示すように、互いに対応する支柱３及び支持アーム３０には、同種の例えば円形の識別印Ｍを刻印する。支柱３と対角の位置にある支柱９及び支持アーム９０には、支柱３及び支持アーム３０と同様な円形の識別印Ｍを刻印する。他の支柱５，７及び支持アーム５０，７０には、円形の識別印Ｍと異なる例えば三角形の識別印を刻印する。互いに対応する支柱及び支持アームの四つの組み合わせに、それぞれ四種の別々の識別印を刻印する場合には、例えば、支柱３及び支持アーム３０に円形、支柱５及び支持アーム５０に三角形、支柱７及び支持アーム７０にプラス記号（＋）、支柱９及び支持アーム９０にマイナス記号（−）などが考えられる。
【００２７】
以下に、代表して支柱７に取り付ける支持アーム７０について説明する。
【００２８】
支持アーム７０は、図３Ａに拡大して示すように、アーム部７０ａと、支柱７に対する取付部７０ｂと、アーム部７０ａと取付部７０ｂとの間に位置する連結ブロック７０ｃとを備えている。アーム部７０ａは、中空状の角材で構成され、連結ブロック７０ｃと反対側の端部は端板７０ａ１により閉塞している。連結ブロック７０ｃは、直方体形状の中空部材である。アーム部７０ａの連結ブロック７０ｃ側の端部は、端板７０ａ１に対して斜めにカットされた傾斜面７０ａ２としてあり、傾斜面７０ａ２を連結ブロック７０ｃの側面に溶接接合する。アーム部７０ａの上面と連結ブロック７０ｃの上面とは同一面となっている。
【００２９】
取付部７０ｂは、板材を屈曲形成したＬ型のアングル材で構成してあり、断面矩形状の支柱７の互いに隣接する二面にそれぞれ当接する、互いに９０度で屈曲した二つの取付面７０ｂ１，７０ｂ２を備えている。このうち一方の取付面７０ｂ１の上下方向中央位置に、連結ブロック７０ｃのアーム部７０ａと反対側の側面を溶接接合している。
【００３０】
他方の取付面７０ｂ２には、図３Ｂにも示すように、上下方向に沿って等間隔に複数（ここでは三つ）の係合爪７０ｂ３を形成している。係合爪７０ｂ３は、取付面７０ｂ２に対し、取付部７０ｂの屈曲内側に向けて切起こしによって形成したもので、下方に向けて突出している。
【００３１】
図１に示すように、支柱７の支柱９に対向する側面の上下方向ほぼ中央位置には、上下方向に沿って複数の係合孔７ａを等間隔に形成している。係合孔７ａは少なくとも三つあればよく、図１の例では１０個形成している。複数の係合孔７ａの上下方向の間隔は、複数の係合爪７０ｂ３の上下方向の間隔と同等である。したがって、支持アーム７０の三つの係合爪７０ｂ３は、支柱７の三つの係合孔７ａにそれぞれ係合させることができる。
【００３２】
すなわち、図３Ａに示す支持アーム７０を、図１に示すように支柱７に取り付ける際には、係合爪７０ｂ３を備える取付面７０ｂ２を、係合孔７ａを備える支柱の一面に整合させるようにして、三つの係合爪７０ｂ３を三つの係合孔７ａにそれぞれ係合させる。係合させる際には、係合爪７０ｂ３を係合孔７ａに押し込むようにして入り込ませた後、支持アーム７０を支柱７に対して下方に移動せせる。
【００３３】
これにより、支持アーム７０を支柱７に着脱自在に取り付けることができる。このとき、係合孔７ａを備える支柱７の一面に隣接する他の一面に、アーム部７０ａが取り付けられている側の取付面７０ｂ１が当接する。支持アーム７０を支柱７から取り外す際には、支持アーム７０を、支柱７に対し上方に移動させた後、支柱７に対し水平方向に離間させて、係合爪７０ｂ３を係合孔７ａから引き抜く。
【００３４】
図１のように、支持アーム７０を支柱７に取り付けた状態では、アーム部７０ａ及び連結ブロック７０ｃの上面は、棚３５の上面と平行な水平状態である。このときアーム部７０ａは、支柱７と対角位置にある支柱５にほぼ向かう方向に延出している。アーム部７０ａが支柱５にほぼ向かうように、傾斜面７０ａ２の傾斜角度を調整する。図１では、アーム部７０ａの長さを、支柱７，５相互を結ぶ対角線のほぼ１／３程度としているが、１／３より短くてもよく、長くてもよい。
【００３５】
以上のようにして、支柱７に支持アーム７０を着脱可能に取り付ける。支柱７に対して対角位置にある支柱５には、前述したように、支持アーム７０と同形状の支持アーム５０を取り付ける。図１に示す支持アーム５０は、平面視（図１中で上方から下方を見た状態）で、支持アーム７０を１８０度回転させた位置関係にある。
【００３６】
すなわち、支柱５の支柱３に対向する一面に、図示していないが、係合孔７ａと同様な係合孔を複数設け、当該係合孔に、支持アーム７０の係合爪７０ｂ３と同様な支持アーム５０の係合爪を係合させる。これにより、支柱５に支持アーム５０を取り付けることができる。このとき、支持アーム７０の支柱７に対する上下方向の取付位置と、支持アーム５０の支柱５に対する上下方向の取付位置とを同等とする。
【００３７】
支柱９に取り付ける支持アーム９０は、支柱７に取り付ける支持アーム７０に対し、平面視で、支柱７，９相互間の中心位置を通る前後方向の水平な直線を対称軸とした線対称な形状である。同様にして、支柱３に取り付ける支持アーム３０は、支柱５に取り付ける支持アーム５０に対し、平面視で、支柱３，５相互間の中心位置を通る前後方向の水平な直線を対称軸とした線対称な形状である。
【００３８】
したがって、図１のように取り付けられた支持アーム３０と支持アーム９０とは、同一形状であって、平面視で１８０度回転させた位置関係にある。支持アーム３０，９０と、支持アーム５０，７０とは形状が異なるので、それぞれの取り付け位置を間違わないように、前述したような識別印を支柱及び支持アームに刻印する。
【００３９】
図４は、図１の枠組棚１の使用例を示す。下部の棚３５には、パレットＰ１を載せることで収納し、上部の中間棚５５には、他のパレットＰ２を載せることで収納している。各パレットＰ１，Ｐ２の上には、図示しない製品等を載せることができる。パレットＰ１，Ｐ２は、枠組棚１の前方側の開口した部分から搬入する。パレットＰ１，Ｐ２は、例えば上板と下板との間に間隙が形成され、当該間隙にフォークリフトの爪（フォーク）を挿入することによって保持され、この保持状態で枠組棚１の内部に、上に載せた製品等と共に搬入することができる。パレットＰ１，Ｐ２は、大きさが同じでもよく、異なっていてもよい。
【００４０】
図５は、枠組棚１を使用しないときに、複数の枠組棚１を積み重ねて保管するときの状態を示す。図５では、枠組棚１の上に、枠組棚１と同形状の枠組棚１００を積み重ねていることを示している。積み重ねる際には、枠組棚１，１００のそれぞれの４本の支持アーム３０，５０，７０，９０を取り外した状態で、地面に載置した枠組棚１に対し、前側の開口から枠組棚１００を押し込む。これにより、枠組棚１の上に枠組棚１００が積み重ねられる。
【００４１】
このとき、枠組棚１の棚３５のやや前方の上に枠組棚１００の棚３５が載置される。枠組棚１００の上部後梁部材３７、上部左梁部材３９及び上部右梁部材４１は、枠組棚１の上部後梁部材３７、上部左梁部材３９及び上部右梁部材４１のやや前方の上方にそれぞれ位置する。枠組棚１００の支柱３，５，７，９は、枠組棚１の支柱３，５，７，９の前側に位置する。
【００４２】
図５のように二つの枠組棚１を入れ子のようにして保管する状態を、以後「ネスティング」という。ネスティング状態とするには、前側２本の支柱３，５の互いに対向する内側面同士の間隔Ｗを、後側２本の支柱７，９の互いに対向する内側面と反対側の外側面同士の間隔Ｗ１及び、棚３５の幅Ｗ２より大きくする必要がある。すなわち、Ｗ＞Ｗ１、Ｗ＞Ｗ２とする必要があり、Ｗ２＞Ｗ１である。
【００４３】
次に、上記した第１の実施形態の作用効果を説明する。
【００４４】
本実施形態の枠組棚１は、四隅に設けられた４本の支柱３，５，７，９と、支柱の下部に設けられ、上面に荷物が載せられる棚３５と、４本の支柱のうち、後側２本の支柱７，９の上部同士を左右方向につなぐ上部後梁部材３７と、４本の支柱のうち、左側２本の支柱３，７の上部同士を前後方向につなぐ上部左梁部材３９と、４本の支柱のうち、右側２本の支柱の上部同士を前後方向につなぐ上部右梁部材４１と、を有する。
【００４５】
さらに、上部後梁部材３７に設けられ、複数の枠組棚１を上下方向に重ね合わせて使用する際に、上に位置する枠組棚１の下に位置する枠組棚１に対する後方への移動を規制するストッパプレート３８と、棚３５に取り付けられ、枠組棚１を地面に載置したときに棚３５と地面との間に隙間Ｓを形成する支持台１９，２１，２３，２５と、を有する。そして、前側２本の支柱３，５の互いに対向する内側面同士の間隔Ｗが、後側２本の支柱の互いに対向する内側面と反対の外側面同士の間隔Ｗ１及び、棚３５の左右方向の幅Ｗ２より大きい。
【００４６】
このため、枠組棚１は、ストッパプレート３８を備えることで、図２のように複数上下方向に重ね合わせて使用する際に、上の枠組棚１の下の枠組棚１に対する後方への移動を規制でき、安定した状態とすることができる。枠組棚１を使用しないときには、一方の枠組棚１の前側の開口から他方の枠組棚１を後側２本の支柱７，９側から押し込むことで、積み重ねて保管することができ、複数の枠組棚１を省スペースで保管することができる。また、支持台１９，２１，２３，２５を備えることによって、棚３５が地面に対して離間した状態となる。このため、棚３５と地面との間の隙間Ｓに、例えばフォークリフトの爪（フォーク）を挿入することによって、枠組棚１を持ち上げて容易に移動させることができる。
【００４７】
本実施形態の枠組棚１は、支柱３，５，７，９の上部と下部との間の、棚３５から上下方向に離間した位置において、支柱３，５，７，９に対して着脱自在に取り付けられた中間棚５５が設けられている。
【００４８】
上記した枠組棚１は、棚３５の上方の下収納領域と中間棚５５の上方の上収納領域とがそれぞれ別々に形成される。これにより、下収納領域及び上収納領域に対し、それぞれ別々のパレット及び製品等を個別に出し入れすることができる。例えば、下収容領域の棚３５に大きな荷物を収納し、上収納領域の中間棚５５に小さな荷物を収容するなど、荷物の大きさや種類によって収納領域を使い分けることができる。その際、パレットを荷物の大きさや種類に応じて大きさや形状を変更することで、より効率よく収納することができる。
【００４９】
以上から、本実施形態による枠組棚１は、内部の収容領域をより充分に生かすことができため、汎用性の高い枠組棚１とすることができる。さらに、中間棚５５を取り外して使用することもできるため、枠組棚１は極めて汎用性の高いものとなる。また、図２に示すように、枠組棚１を上下方向に二つ重ね合わせることで、さらに収納領域を増やすことができ、より汎用性が高まる。枠組棚１は、上下方向に二つ重ね合わせるだけでなく、上下方向に三つ以上重ね合わせることもできる。
【００５０】
本実施形態は、中間棚５５は、４本の支柱３，５，７，９から、当該４本の支柱３，５，７，９で囲まれた内側の空間（収容領域）に向けて突出する棒状部材である支持アーム３０，５０，７０，９０で構成している。支持アーム３０，５０，７０，９０は棒状の簡素な構成であるため、荷物の収納（積載）効率を高めながらも、枠組棚１として構造の簡素化を図ることができ、取扱いも容易である。
【００５１】
本実施形態は、支柱３，５，７，９は、中空材であって側面に係合孔が設けられ、支持アーム３０，５０，７０，９０は、支柱３，５，７，９に取り付けるための取付部７０ｂを備えている。取付部７０ｂは、支柱３，５，７，９の係合孔に対し、上方から下方に向けて入り込んで係合する係合爪７０ｂ３が設けられている。
【００５２】
この場合、支持アーム３０，５０，７０，９０を支柱３，５，７，９に取り付ける際には、係合爪７０ｂ３を係合孔に入り込ませて係合するだけなので、取り付け作業性が向上する。支持アーム３０，５０，７０，９０を支柱３，５，７，９から取り外す際には、支持アーム３０，５０，７０，９０を上方に持ち上げて、係合爪７０ｂ３を係合孔から外せばよいので、取り外し作業性も向上する。
【００５３】
本実施形態は、係合孔が支柱３，５，７，９の上下方向に沿って複数設けられている。これにより、支持アーム３０，５０，７０，９０の支柱３，５，７，９に対する上下方向位置を、容易かつ短時間に調整することができ、利便性が向上する。
【００５４】
本実施形態は、支柱３，５，７，９が角材であり、支持アーム３０，５０，７０，９０の取付部７０ｂが、角材の互いに隣接する二つの側面にそれぞれ当接する、互いに屈曲した二つの取付面７０ｂ１，７０ｂ２を備えている。この場合、支持アーム３０，５０，７０，９０を支柱３，５，７，９に取り付ける際に、屈曲した二つの取付面７０ｂ１，７０ｂ２を角材の互いに隣接する二つの側面に整合させることで、支持アーム３０，５０，７０，９０の支柱３，５，７，９に対する取付位置が容易に決まり、取り付け作業性が向上する。
【００５５】
本実施形態は、取付部７０ｂの二つの取付面７０ｂ１，７０ｂ２のうち一方に、係合爪７０ｂ３が設けられ、他方に支持アーム３０，５０，７０，９０の端部が接続されている。この場合、取付部７０ｂの二つの取付面７０ｂ１，７０ｂ２を有効利用して、係合爪７０ｂ３と、支持アーム３０，５０，７０，９０の接合部とを形成することができる。
【００５６】
図６Ａ、図６Ｂは、支柱３に取り付けた状態での支持アーム３０を支持体５７により支持する構造を示している。支持体５７は、直方体形状となっている。図６Ａの状態から、支持アーム３０を図６Ｂのように取り付けた状態で、係合爪７０ｂ３が係合孔３ａから外れないようにして支持アーム３０を少し持ち上げてから、図６Ｂのように支持体５７を取付部７０ｂの下部の係合孔３ａに嵌め込む。その後、支持アーム３０を下げることで、取付部７０ｂの下端が支持体５７に当接して支持される。
【００５７】
図６Ａ、図６Ｂは、支柱３と支持アーム３０との関係を示しているが、他の支柱５，７，９と支持アーム５０，７０，９０との関係についても、支持体57を使用することができる。すなわち、本実施形態は、係合孔に対し挿脱自在に挿入される支持体５７を備え、係合爪７０ｂ３が係合孔に係合した状態で、取付部７０ｂの下端部が、係合爪７０ｂ３が係合している係合孔とは別の係合孔に挿入された状態の支持体５７に当接する。
【００５８】
係合孔に挿入した支持体５７に、支持アーム３０，５０，７０，９０の下端が支持されることで、より簡素な構成で支持アーム３０，５０，７０，９０の取り付け安定性が向上する。
【００５９】
上記した第１の実施形態の枠組棚１は、支柱３，５，７，９の下部に棚３５を設けてあり、図５のようにして不使用時には、複数積み重ねてネスティング状態で保管できる。このような枠組棚１をここでは「正ネスティングラック」と呼ぶ。
【００６０】
［第２の実施形態］
図１の枠組棚１とは逆に、図７に示すように支柱５９，６１，６３，６５の上部に棚８１を備え、不使用時に複数積み重ねてネスティング状態で保管できる枠組棚１Ａを「逆ネスティングラック」と呼ぶ。以下に「逆ネスティングラック」について説明する。枠組棚１Ａは、四隅に設けられる全部で４本の支柱５９，６１，６３，６５を備える。支柱５９，６１，６３，６５は、中空の角材である。
【００６１】
左側２本の支柱５９，６３の下部同士は、前後方向に沿って延在する下部左梁部材６７により連結している。下部左梁部材６７は、前側端部の上面を支柱５９の下端に溶接接合し、後側端部の側面を、支柱６３の下端の支柱６５と反対側の側面に溶接接合している。右側２本の支柱６１，６５の下部同士は、前後方向に沿って延在する下部右梁部材６９により連結している。下部右梁部材６９は、前側端部の上面を支柱６１の下端に溶接接合し、後側端部の側面を、支柱６５の下端の支柱６３と反対側の側面に溶接接合している。
【００６２】
後側２本の支柱６３，６５の下部同士は、左右方向に沿って延在する下部後梁部材７１により連結している。下部後梁部材７１は、左側端部の上面を支柱６３の下端に溶接接合し、右側端部の上面を支柱６５の下端に溶接接合している。
【００６３】
下部左梁部材６７は、支柱５９側の下面及び支柱６３側の下面に、支持部材としての支持台７３及び７５をそれぞれ取り付けている。下部右梁部材６９は、支柱６１側の下面及び支柱６５側の下面に、支持部材としての支持台７７及び７９をそれぞれ取り付けている。これら四つの支持台７３，７５，７７，７９によって、枠組棚１Ａは地面に載置される。したがって、枠組棚１Ａを地面に載置したときに、下部左梁部材６７及び下部右梁部材６９と、地面との間に隙間ＳＡが形成される。下部後梁部材７１の左側端部は、下部左梁部材６７の後端側面のほぼ下半分及び、支持台７５の側面のほぼ上半分に溶接接合している。下部後梁部材７１の右側端部は、下部右梁部材６９の後端側面のほぼ下半分と、支持台７９の側面のほぼ上半分に溶接接合している。
【００６４】
４本の支柱５９，６１，６３，６５の上端には、棚８１を取り付けている。以下、棚８１について説明する。前側２本の支柱５９，６１の上端は、左右方向に沿って延在する前梁部材８３の両端の下面に溶接接合して、支柱５９，６１の上部同士を連結する。後側２本の支柱６３，６５の上端は、左右方向に沿って延在する後梁部材８５の下面に溶接接合して、支柱６３，６５の上部同士を連結する。
【００６５】
後梁部材８５の左側端部の前面には、前後方向に沿って延在する左梁部材８７の後端を溶接接合し、前梁部材８３の左側端部よりやや支柱６１側の後面には、左梁部材８７の前端を溶接接合する。これにより、左梁部材８７は、左側２本の支柱５９，６３の上部相互を連結する。後梁部材８５の右側端部の前面には、前後方向に沿って延在する右梁部材８９の後端を溶接接合し、前梁部材８３の右側端部よりやや支柱５９側の後面には、右梁部材８９の前端を溶接接合する。これにより、右梁部材８９は、左側２本の支柱６１，６５の上部相互を連結する。
【００６６】
後梁部材８５の左右方向両端付近の後面には、後方移動規制部としてのストッパプレート９１を取り付けている。ストッパプレート９１は、後梁部材８５から上方に突出しており、枠組棚１Ａを図２の枠組棚１と同様に上下方向に複数重ね合わせたときに、下側の枠組棚１Ａに対し上側の枠組棚１Ａの後方への移動を規制する。
【００６７】
支柱５９，６１に対応する位置の前梁部材８３の上面には、下方に凹む凹形状の受け部９３，９５を取り付けている。一方、支柱５９，６１にそれぞれ対応する位置の下部左梁部材６７及び下部右梁部材６９の下面には、下方に向けて突出する突起９７，９９を取り付けている。図示していないが、枠組棚１Ａを図２の枠組棚１と同様にして上下方向に複数重ね合わせたときに、上側の枠組棚１Ａの突起９７，９９が、下側の枠組棚１Ａの受け部９３，９５に入り込む。このとき、上側の枠組棚１Ａの下部後梁部材７１が、下側の枠組棚１Ａの後梁部材８５の上に載置され、ストッパプレート９１によって、上側の枠組棚１Ａの下側の枠組棚１Ａに対する後方への移動が規制される。
【００６８】
前梁部材８３、後梁部材８５、左梁部材８７及び右梁部材８９によって外枠部１０１を構成する。外枠部１０１の内側には、左梁部材８７と右梁部材８９とを接続する２本の横内側梁１０３，１０５を、左右方向に沿って設けている。２本の横内側梁１０３，１０５は、前梁部材８３と後梁部材８５との間隔を、ほぼ同一の三つの間隔に仕切る位置に設けてある。
【００６９】
外枠部１０１の内側には、左梁部材８７と右梁部材８９との間の左右方向中央位置に、前後方向に沿って延在する縦内側梁１０７を設けている。縦内側梁１０７は、長手方向（前後方向）に沿って三分割されており、前梁部材８３と横内側梁１０３とを接続する第１縦内側梁１０７ａと、横内側梁１０３，１０５同士を接続する第２縦内側梁１０７ｂと、横内側梁１０５と後梁部材８５とを接続する第３縦内側梁１０７ｃとで構成されている。
【００７０】
上記した前梁部材８３、後梁部材８５、左梁部材８７及び右梁部材８９によって構成される外枠部１０１と、外枠部１０１の内側に位置する横内側梁１０３，１０５及び縦内側梁１０７とで、上面に荷物が載せられる前述した棚８１を構成する。
【００７１】
４本の支柱５９，６１，６３，６５には、第１の実施形態の枠組棚１と同様な中間棚５５としての支持アーム３０，５０，７０，９０をそれぞれ着脱自在に取り付けてある。したがって、４本の支柱５９，６１，６３，６５にも第１の実施形態の支柱３，５，７，９と同様に、係合孔を設けている。支柱５９，６３に、係合孔５９ａ，６３ａが見えている。支持アーム３０，５０，７０，９０の支柱５９，６１，６３，６５に対する取付構造は、第１の実施形態と同様であるので、説明は省略する。
【００７２】
図８は、枠組棚１Ａを使用しないときに、複数の枠組棚１Ａを積み重ねて保管するときのネスティング状態を示す。図８では、枠組棚１Ａの上に、枠組棚１Ａと同形状の枠組棚１００Ａを積み重ねた状態を示している。積み重ねる際には、枠組棚１Ａ，１００Ａのそれぞれの４本の支持アーム３０，５０，７０，９０を取り外した状態で、地面に載置した枠組棚１Ａに対し、枠組棚１００Ａを上方あるいは後方から接近させて被せるようにして積み重ねる。
【００７３】
ネスティング状態とするには、前側２本の支柱５９，６１の互いに対向する内側面同士の間隔Ｈ及び、下部左梁部材６７と下部右梁部材６９との互いに対向する内側面同士の間隔Ｈ１を、後側２本の支柱６３，６５の互いに対向する内側面と反対の外側面同士の間隔Ｈ２及び、棚８１の左右方向の幅Ｈ３より大きくする必要がある。すなわち、Ｈ＞Ｈ２、Ｈ＞Ｈ３、Ｈ１＞Ｈ２、Ｈ１＞Ｈ３とする必要がある。なお、Ｈ＝Ｈ１、Ｈ２＝Ｈ３である。
【００７４】
このとき、枠組棚１Ａの棚８１のやや後方の上に枠組棚１００Ａの棚８１が載置される。枠組棚１００Ａの下部後梁部材７１、下部左梁部材６７及び下部右梁部材６９は、枠組棚１Ａの下部後梁部材７１、下部左梁部材６７及び下部右梁部材６９のやや後方の上方にそれぞれ位置する。枠組棚１００Ａの支柱５９，６１，６３，６５は、枠組棚１Ａの支柱５９，６１，６３，６５の後側に位置する。
【００７５】
上記した第２の実施形態は、四隅に設けられた４本の支柱５９，６１，６３，６５と、支柱の上部に設けられ、上面に荷物が載せられる棚８１と、４本の支柱のうち、後側２本の支柱６３，６５の下部同士を左右方向につなぐ下部後梁部材７１と、４本の支柱のうち、左側２本の支柱５９，６３の下部同士を前後方向につなぐ下部左梁部材６７と、４本の支柱のうち、右側２本の支柱６１，６５の下部同士を前後方向につなぐ下部右梁部材６９と、を有する。
【００７６】
さらに、棚８１の後側に設けられ、複数の枠組棚１Ａを上下方向に重ね合わせて使用する際に、上に位置する枠組棚１００Ａの下に位置する枠組棚１Ａに対する後方への移動を規制するストッパプレート９１と、下部左梁部材６７及び下部右梁部材６９に取り付けられ、枠組棚１Ａを地面に載置したときに下部左梁部材６７及び下部右梁部材６９と地面との間に隙間ＳＡを形成する支持台７３，７５，７７，７９と、を有する。そして、前側２本の支柱５９，６１の互いに対向する内側面同士の間隔Ｈ及び、下部左梁部材６７と下部右梁部材６９との互いに対向する内側面同士の間隔Ｈ１が、後側２本の支柱６３，６５の互いに対向する内側面と反対の外側面同士の間隔Ｈ２及び、棚８１の左右方向の幅Ｈ３より大きい。
【００７７】
このため、枠組棚１Ａは、ストッパプレート９１を備えることで、図８のように複数上下方向に重ね合わせて使用する際に、上の枠組棚１Ａの下の枠組棚１Ａに対する後方への移動を規制でき、安定した状態とすることができる。枠組棚１Ａを使用しないときには、一方の枠組棚１Ａに対し、他方の枠組棚１Ａを後方または上方から被せるようにして押し込むことで、積み重ねて保管することができ、複数の枠組棚１Ａを省スペースで保管することができる。また、支持台７３，７５，７７，７９を備えることによって、下部後梁部材７１、下部左梁部材６７及び下部右梁部材６９が地面に対して離間した状態となる。このため、下部左梁部材６７及び下部右梁部材６９と地面との間の隙間ＳＡに、例えばフォークリフトの爪（フォーク）を挿入することによって、枠組棚１Ａを持ち上げて容易に移動させることができる。
【００７８】
第２の実施形態においても、第１の実施形態と同様に中間棚５５を備えているので、枠組棚１Ａは、内部の収容領域をより充分に生かすことができ、かつ、中間棚５５を取り外して使用することもできるため、汎用性の高い枠組棚１Ａとすることができるなど、第１の実施形態と同様の効果が得られる。
【００７９】
［第３の実施形態］
図９に示す枠組棚１Ｂは、図７に示した第２の実施形態の枠組棚１Ａと同様な逆ネスティングラックである。枠組棚１Ｂは、四隅に設けられる全部で４本の支柱１０９，１１１，１１３，１１５を備える。支柱１０９，１１１，１１３，１１５は、中空の角材である。支柱１０９，１１１，１１３，１１５は、下部に土台１１７がボルト１１９により取り付けられ、上部に棚１２１がボルト１２３により取り付けられている。
【００８０】
土台１１７は、後側２本の支柱１１３，１１５同士を左右方向に沿って連結する下部後梁部材１２５と、左側２本の支柱１０９，１１３同士を前後方向に沿って連結する下部左梁部材１２７と、右側２本の支柱１１１，１１５同士を前後方向に沿って連結する下部右梁部材１２９とを備える。
【００８１】
下部後梁部材１２５の左右両端の上面には、後支柱連結部材１３１，１３３の下端をそれぞれ溶接接合している。後支柱連結部材１３１，１３３は、中空の角材であり、支柱１１３，１１５が上部から挿入され、ボルト１１９により、支柱１１１，１１５に締結固定される。
【００８２】
下部左梁部材１２７及び下部右梁部材１２９のそれぞれの後部の上面には後部連結部材１３５，１３７を溶接固定している。下部後梁部材１２５の左側の端部は、下部左梁部材１２７の後端の上側ほぼ半分の側面及び、後部連結部材１３５の下側ほぼ半分の側面に溶接接合している。下部後梁部材１２５の右側の端部は、下部右梁部材１２９の後端の上側ほぼ半分の側面及び、後部連結部材１３７の下側ほぼ半分の側面に溶接接合している。
【００８３】
下部左梁部材１２７及び下部右梁部材１２９のそれぞれの前部の上面には、前部連結部材１３９，１４１を溶接固定している。前部連結部材１３９，１４１の前側は、下部左梁部材１２７及び下部右梁部材１２９からそれぞれ前方へ突出している。前部連結部材１３９，１４１の前端は、前支柱連結部材１４３，１４５の下端よりやや上側の後面に溶接接合している。前支柱連結部材１４３，１４５は、中空の角材であり、支柱１０９，１１１が上部から挿入され、ボルト１１９により、支柱１０９，１１１に締結固定される。
【００８４】
このように、土台１１７は、後支柱連結部材１３１，１３３及び前支柱連結部材１４３，１４５を介して支柱１０９，１１１，１１３，１１５の下部に取り付けられる。次に、支柱１０９，１１１，１１３，１１５の上部に取り付けてある棚１２１について説明する。
【００８５】
棚１２１は、後側２本の支柱１１３，１１５同士を左右方向に沿って連結する後梁部材１４７と、左側２本の支柱１０９，１１３同士を前後方向に沿って連結する左梁部材１４９と、右側２本の支柱１１１，１１５同士を前後方向に沿って連結する右梁部材１５１と、前側の２本の支柱１０９，１１１同士を左右方向に沿って連結する前梁部材１５２とを備える。左梁部材１４９と右梁部材１５１とは、左右方向に沿って延在する２本の中間梁部材１５４により互いに連結されている。
【００８６】
左梁部材１４９及び右梁部材１５１の後部の下面には、後支柱連結部材１５３，１５５の上端面を溶接接合する。後支柱連結部材１５３，１５５は、中空の角材であり、支柱１１３，１１５が下部から挿入され、ボルト１２３により、支柱１１３，１１５に締結固定される。左梁部材１４９及び右梁部材１５１の後端部における互いに対向する側面に、後梁部材１４７の左右各端面を溶接接合している。
【００８７】
なお、支柱１１３，１１５の外形は、後支柱連結部材１３１，１３３及び後支柱連結部材１５３，１５５の外形と同等である。したがって、支柱１１３，１１５の後支柱連結部材１３１，１３３及び後支柱連結部材１５３，１５５に挿入した部分は、挿入していない他の部分よりも、支柱１１３，１１５の板厚分細くなっている。
【００８８】
後梁部材１４７の後面と、左梁部材１４９及び右梁部材１５１の後端面と、後支柱連結部材１５３，１５５の後面とは、互いに同一面であり、後梁部材１４７の左右両端部よりやや中央寄りの後面に、後方移動規制部としてのストッパプレート１５７を取り付けている。ストッパプレート１５７は、後梁部材１４７の上面から上方に突出している。
【００８９】
左梁部材１４９及び右梁部材１５１の前側の端部は、前梁部材１５２の左右両端部より左右方向やや中央寄りの後面に溶接接合している。前梁部材１５２は、左右両側の端部を、前支柱連結部材１５９，１６１の上端の互いに対向する側面に溶接接合している。前支柱連結部材１５９，１６１は、中空の角材であり、支柱１０９，１１１が下部から挿入され、ボルト１２３により、支柱１０９，１１１に締結固定される。前支柱連結部材１５９，１６１と前梁部材１５２との接合部の前側角部には、固定プレート１６３，１６５を、上部のボルト１２３によって固定している。
【００９０】
なお、支柱１０９，１１１の外形は、前支柱連結部材１４３，１４５及び前支柱連結部材１５９，１６１の外形と同等である。したがって、支柱１０９，１１１の前支柱連結部材１４３，１４５及び前支柱連結部材１５９，１６１に挿入した部分は、挿入していない他の部分よりも、支柱１０９，１１１の板厚分細くなっている。
【００９１】
枠組棚１Ｂにおいても、図７に示した枠組棚１Ａと同様な支持アーム３０，５０，７０，９０を着脱自在に取り付けるようにしてもよい。これにより、枠組棚１Ｂは、内部の収容領域をより充分に生かすことができ、かつ、中間棚５５を取り外して使用することもでるため、汎用性の高い枠組棚１Ｂとすることができるなど、第１、第２の実施形態と同様の効果が得られる。
【００９２】
さらに、枠組棚１Ｂには、下部左梁部材１２７及び下部右梁部材１２９の下面に、枠組棚１Ａと同様な支持台７３，７５，７７，７９を取り付けてもよい。これにより、下部左梁部材１２７及び下部右梁部材１２９と、地面との間に形成される隙間に、例えばフォークリフトの爪（フォーク）を挿入することによって、枠組棚１Ｂを持ち上げて容易に移動させることができる。
【００９３】
図１０は、図９に示す枠組棚１Ｂを上下二段に積み重ねて使用する場合を示している。この場合には、上に位置する枠組棚１Ｂの前支柱連結部材１４３，１４５の下端が、下に位置する枠組棚１Ｂの前支柱連結部材１５９，１６１の上端に載置される。その際、図示していないが、図７に示したような受け部９３，９５を前支柱連結部材１５９，１６１の上端に設け、図７に示したような突起９７，９９を前支柱連結部材１４３，１４５の下端に設けてもよい。
【００９４】
図１０の積み重ね状態では、上に位置する枠組棚１Ｂの下部後梁部材１２５が、下に位置する枠組棚１Ｂの後梁部材１４７の上に載置される。このとき、上に位置する枠組棚１Ｂの下部後梁部材１２５が、下に位置する枠組棚１Ｂのストッパプレート１５７の前面に当接することで、上に位置する枠組棚１Ｂの下に位置する枠組棚１Ｂに対する後方への移動が規制される。
【００９５】
図１１は、枠組棚１Ｂを使用しないときに、複数の枠組棚１Ｂを積み重ねて保管するときのネスティング状態を示す。図１１では、枠組棚１Ｂの上に、枠組棚１Ｂと同形状の枠組棚１００Ｂを積み重ねている。積み重ねる際には、地面に載置した枠組棚１Ｂに対し、枠組棚１００Ｂを上方または後方から接近させて被せるようにして積み重ねる。
【００９６】
このとき、枠組棚１Ｂの棚１２１のやや後方の上に枠組棚１００Ａの棚１２１が位置した状態で、枠組棚１Ｂの後部連結部材１３５，１３７及び前部連結部材１３９，１４１の上に、枠組棚１００Ｂの下部左梁部材１２７及び下部右梁部材１２９が載置される。枠組棚１００Ｂの下部後梁部材１２５は、枠組棚１Ｂの下部後梁部材１２５のやや後方の上方に位置する。枠組棚１００Ｂの支柱１０９，１１１，１１３，１１５は、枠組棚１Ｂの支柱１０９，１１１，１１３，１１５の後側にそれぞれ位置する。
【００９７】
このように、枠組棚１Ｂを使用しないときには、地面に載置した枠組棚１Ｂに対し、枠組棚１００Ｂを上方または後方から接近させて被せるようにして積み重ねることで、ネスティング状態で保管することができる。これにより、複数の枠組棚１Ｂを省スペースで保管することができる。
【００９８】
ネスティング状態とするには、前側２本の支柱１０９，１１１の互いに対向する内側面同士の間隔Ｌ及び、下部左梁部材１２７と下部右梁部材１２９との互いに対向する内側面同士の間隔Ｌ１を、後側２本の支柱１１３，１１５の互いに対向する内側面と反対の外側面同士の間隔Ｌ２及び、棚８１の左右方向の幅Ｌ３より大きくする必要がある。すなわち、Ｌ＞Ｌ２、Ｌ＞Ｌ３、Ｌ１＞Ｌ２、Ｌ１＞Ｌ３とする必要がある。なお、Ｌ＝Ｌ１、Ｌ２＝Ｌ３である。
【００９９】
図１２は、図１に示した枠組棚１の棚３５の上に、板状部材としての底板１６７を取り付けている。底板１６７は、棚３５の前後方向の長さと同等で、左右方向の幅が、棚３５の左右方向の幅の１／３〜１／４程度であり、棚３５の左右方向の一部である中央部分に溶接固定している。
【０１００】
底板１６７を取り付ける位置の外枠部２７を含む棚３５の上面には、凹部３５ａを形成している。底板１６７を、凹部３５ａに嵌め合わせた状態で棚３５に溶接固定する。凹部３５ａは、棚３５を構成する前梁部材１１、後梁部材１３、左梁部材１５、右梁部材１７、横内側梁２９，３１及び、図１２では底板１６７によって隠されている縦内側梁３３の上面にそれぞれ形成している。凹部３５ａは、底板１６７の板厚分または板厚分より大きい深さを有する。したがって、棚３５の上面と底板１６７の上面とはほぼ同一面となっている。
【０１０１】
図１３は、図７に示した枠組棚１Ａの棚８１の上に、図１２の底板１６７と同様な形状の天板１６９を取り付けている。天板１６９は、棚８１の前後方向の長さと同等で、左右方向の幅が、棚８１の左右方向の幅の１／３〜１／４程度であり、棚８１の左右方向の一部である中央部分に溶接固定している。なお、天板１６９は、図９に示した枠組棚１Ｂの棚１２１に取り付けてもよい。
【０１０２】
天板１６９を取り付ける位置の外枠部１０１を含む棚８１の上面には、凹部８１ａを形成している。天板１６９を、凹部８１ａに嵌め合わせた状態で棚８１に溶接固定する。凹部８１ａは、棚８１を構成する前梁部材８３、後梁部材８５、左梁部材８７、右梁部材８９、横内側梁１０３，１０５及び、図１３では天板１６９によって隠されている縦内側梁１０７の上面にそれぞれ形成している。凹部８１ａは、天板１６９の板厚分または板厚分より大きい深さを有する。したがって、棚８１の上面と天板１６９の上面とはほぼ同一面となっている。
【０１０３】
上記図１２、図１３に示した実施形態は、底板１６７及び天板１６９が、例えば落下物があったときに捉えることができる。上記図１２、図１３に示した実施形態は、底板１６７の上面と棚３５の上面とを同一面とし、天板１６９の上面と棚８１の上面とを同一面としている。このため、荷物を棚３５，８１の上に搬入するときに、底板１６７及び天板１６９の周縁に対する荷物の引っ掛かりを抑制でき、搬入作業が容易となる上、外観品質も向上する。
【０１０４】
[その他の実施の形態]
以上、実施形態について説明したが、これらの実施形態は理解を容易にするために記載された単なる例示に過ぎず、当該実施形態に限定されるものではない。技術的範囲は、上記実施形態で開示した具体的な技術事項に限らず、そこから容易に導きうる様々な変形、変更、代替技術なども含む。
【０１０５】
例えば、上記した第１、第２の実施形態では、４本の支持アーム３０，５０，７０，９０のうち、互いに対角位置にある支持アーム３０，９０同士が同一形状で、同様にして互いに対角位置にある支持アーム５０，７０同士が同一形状となっている。しかし、４本の支持アーム３０，５０，７０，９０すべてを異なる形状としてもよく、すべてを同一形状としてもよい。４本の支持アーム３０，５０，７０，９０すべてを異なる形状とした場合には、四種の別々の識別印が必要となり、すべてを同一形状とした場合には、識別印は設けなくてもよい。
【産業上の利用可能性】
【０１０６】
本実施の形態の枠組棚は、複数の枠組棚を上下方向に積み上げての使用に適用できる。
【符号の説明】
【０１０７】
１，１Ａ，１Ｂ  枠組棚
３，５，７，９，５９，６１，６３，６５，１０９，１１１，１１３，１１５  支柱
７ａ  支柱の係合孔
１９，２１，２３，２５，７３，７５，７７，７９  支持台（支持部材）
２７，１０１  外枠部
３０，５０，７０，９０  支持アーム（棒状部材、中間棚）
３５，８１，１２１  棚
３５ａ，８１ａ  棚の凹部
３７  上部後梁部材
３８，９１，１５７  ストッパプレート（後方移動規制部）
３９  上部左梁部材
４１  上部右梁部材
５５  中間棚
５７  支持体
６７  下部左梁部材
６９  下部右梁部材
７０ｂ  支持アームの取付部
７０ｂ３  支持アームの係合爪
７０ｂ１，７０ｂ２  支持アームの取付面
７１  下部後梁部材
１６７  底板（板状部材）
１６９  天板（板状部材）
Ｍ  識別印
Ｓ，ＳＭ  隙間
【図１】
2019085246.tif 000003
【図２】
2019085246.tif 000004
【図３Ａ】
2019085246.tif 000005
【図３Ｂ】
2019085246.tif 000006
【図４】
2019085246.tif 000007
【図５】
2019085246.tif 000008
【図６Ａ】
2019085246.tif 000009
【図６Ｂ】
2019085246.tif 000010
【図７】
2019085246.tif 000011
【図８】
2019085246.tif 000012
【図９】
2019085246.tif 000013
【図１０】
2019085246.tif 000014
【図１１】
2019085246.tif 000015
【図１２】
2019085246.tif 000016
【図１３】
2019085246.tif 000017
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
四隅に設けられた４本の支柱と、
前記支柱の下部に設けられ、上面に荷物が載せられる棚と、
前記４本の支柱のうち、後側２本の支柱の上部同士を左右方向につなぐ上部後梁部材と、
前記４本の支柱のうち、左側２本の支柱の上部同士を前後方向につなぐ上部左梁部材と、
前記４本の支柱のうち、右側２本の支柱の上部同士を前後方向につなぐ上部右梁部材と、
前記上部後梁部材に設けられ、複数の枠組棚を上下方向に重ね合わせて使用する際に、上に位置する枠組棚の下に位置する枠組棚に対する後方への移動を規制する後方移動規制部と、
前記棚に取り付けられ、枠組棚を地面に載置したときに前記棚と地面との間に隙間を形成する支持部材と、
前記支柱の上部と下部との間の、前記棚から上下方向に離間した位置において、前記支柱に対して着脱自在に取り付けられた中間棚と、を有し、
前記中間棚は、当該中間棚が取り付けられた支柱と対角位置にある支柱に向かって突出する棒状部材からなり、
前記４本の支柱のうち、前側２本の支柱の互いに対向する内側面同士の間隔が、後側２本の支柱の互いに対向する内側面と反対の外側面同士の間隔及び、前記棚の左右方向の幅より大きい枠組棚。
【請求項２】
四隅に設けられた４本の支柱と、
前記支柱の上部に設けられ、上面に荷物が載せられる棚と、
前記４本の支柱のうち、後側２本の支柱の下部同士を左右方向につなぐ下部後梁部材と、
前記４本の支柱のうち、左側２本の支柱の下部同士を前後方向につなぐ下部左梁部材と、
前記４本の支柱のうち、右側２本の支柱の下部同士を前後方向につなぐ下部右梁部材と、
前記棚の後側に設けられ、複数の枠組棚を上下方向に重ね合わせて使用する際に、上に位置する枠組棚の下に位置する枠組棚に対する後方への移動を規制する後方移動規制部と、
前記下部左梁部材及び前記下部右梁部材に取り付けられ、枠組棚を地面に載置したときに前記下部左梁部材及び前記下部右梁部材と地面との間に隙間を形成する支持部材と、
前記支柱の上部と下部との間の、前記棚から上下方向に離間した位置において、前記支柱に対して着脱自在に取り付けられた中間棚と、を有し、
前記中間棚は、当該中間棚が取り付けられた支柱と対角位置にある支柱に向かって突出する棒状部材からなり、
前記４本の支柱のうち、前側２本の支柱の互いに対向する内側面同士の間隔及び、前記下部左梁部材と前記下部右梁部材との互いに対向する内側面同士の間隔が、後側２本の支柱の互いに対向する内側面と反対の外側面同士の間隔及び、前記棚の左右方向の幅より大きい枠組棚。
【請求項３】
前記支柱は、中空材であって側面に係合孔が設けられ、
前記棒状部材は、前記支柱に取り付けるための取付部を備え、
前記取付部は、前記支柱の係合孔に対し、上方から下方に向けて入り込んで係合する係合爪が設けられている請求項１または２に記載の枠組棚。
【請求項４】
前記係合孔は前記支柱の上下方向に沿って複数設けられている請求項３に記載の枠組棚。
【請求項５】
前記係合孔に対し挿脱自在に挿入される支持体を備え、
前記係合爪が前記係合孔に係合した状態で、前記取付部の下端部が、前記係合爪が係合している係合孔より下部に位置する係合孔に挿入された状態の前記支持体に当接する請求項４に記載の枠組棚。
【請求項６】
前記支柱は角材であり、前記棒状部材の取付部は、前記角材の互いに隣接する二つの側面にそれぞれ当接する、互いに屈曲した二つの取付面を備えている請求項３ないし５のいずれか１項に記載の枠組棚。
【請求項７】
前記取付部の二つの取付面のうち一方に、前記係合爪が設けられ、他方に前記棒状部材の端部が接続されている請求項６に記載の枠組棚。
【請求項８】
前記棚は、前記４本の支柱を矩形状に連結して形成される外枠部を備え、
前記外枠部の上の一部に板状部材が設けられている請求項１ないし７のいずれか１項に記載の枠組棚。
【請求項９】
前記外枠部の前記板状部材が設けられる部分に、板厚分または板厚分より大きい深さの凹部が形成され、前記凹部に前記板状部材が嵌め合わせられることで、前記棚の上面と前記板状部材の上面とがほぼ同一面となる請求項８に記載の枠組棚。
【手続補正２】
【補正対象書類名】明細書
【補正対象項目名】０００６
【補正方法】変更
【補正の内容】
【０００６】
本実施の形態の一態様によれば、四隅に設けられた４本の支柱と、前記支柱の下部に設けられ、上面に荷物が載せられる棚と、前記４本の支柱のうち、後側２本の支柱の上部同士を左右方向につなぐ上部後梁部材と、前記４本の支柱のうち、左側２本の支柱の上部同士を前後方向につなぐ上部左梁部材と、前記４本の支柱のうち、右側２本の支柱の上部同士を前後方向につなぐ上部右梁部材と、前記上部後梁部材に設けられ、複数の枠組棚を上下方向に重ね合わせて使用する際に、上に位置する枠組棚の下に位置する枠組棚に対する後方への移動を規制する後方移動規制部と、前記棚に取り付けられ、枠組棚を地面に載置したときに前記棚と地面との間に隙間を形成する支持部材と、前記支柱の上部と下部との間の、前記棚から上下方向に離間した位置において、前記支柱に対して着脱自在に取り付けられた中間棚と、を有し、前記中間棚は、当該中間棚が取り付けられた支柱と対角位置にある支柱に向かって突出する棒状部材からなり、前記４本の支柱のうち、前側２本の支柱の互いに対向する内側面同士の間隔が、後側２本の支柱の互いに対向する内側面と反対の外側面同士の間隔及び、前記棚の左右方向の幅より大きい枠組棚が提供される。
【手続補正３】
【補正対象書類名】明細書
【補正対象項目名】０００７
【補正方法】変更
【補正の内容】
【０００７】
本実施の形態の他の態様によれば、四隅に設けられた４本の支柱と、前記支柱の上部に設けられ、上面に荷物が載せられる棚と、前記４本の支柱のうち、後側２本の支柱の下部同士を左右方向につなぐ下部後梁部材と、前記４本の支柱のうち、左側２本の支柱の下部同士を前後方向につなぐ下部左梁部材と、前記４本の支柱のうち、右側２本の支柱の下部同士を前後方向につなぐ下部右梁部材と、前記棚の後側に設けられ、複数の枠組棚を上下方向に重ね合わせて使用する際に、上に位置する枠組棚の下に位置する枠組棚に対する後方への移動を規制する後方移動規制部と、前記下部左梁部材及び前記下部右梁部材に取り付けられ、枠組棚を地面に載置したときに前記下部左梁部材及び前記下部右梁部材と地面との間に隙間を形成する支持部材と、前記支柱の上部と下部との間の、前記棚から上下方向に離間した位置において、前記支柱に対して着脱自在に取り付けられた中間棚と、を有し、前記中間棚は、当該中間棚が取り付けられた支柱と対角位置にある支柱に向かって突出する棒状部材からなり、前記４本の支柱のうち、前側２本の支柱の互いに対向する内側面同士の間隔及び、前記下部左梁部材と前記下部右梁部材との互いに対向する内側面同士の間隔が、後側２本の支柱の互いに対向する内側面と反対の外側面同士の間隔及び、前記棚の左右方向の幅より大きい枠組棚が提供される。